(57)【要約】【課題】  混合弁の操作軸と温度調節用ハンドルとを伝達部材を介して連結する温度調節用ハンドルの取付構造において、温度調節用ハンドルの突出量を少なくして見栄えを良くするとともに、混合水の吐水温度と温度調節用ハンドルの設定温度を示す目盛りとが一致するように、ハンドルの取付角度を再調整する必要が生じた場合でも、伝達部材の取り外しを容易に行えるようにする。【解決手段】  混合弁の操作軸と温度調節用ハンドルとを伝達部材を介して連結する温度調節用ハンドルの取付構造において、伝達部材は、操作軸に係合するセレーションを有するブッシュと、ブッシュ及び操作軸に着脱自在に係合する脚部が形成された固定具とからなり、温度調節用ハンドルに形成された収容部をブッシュに外嵌させるとともに、収容部に形成された切欠溝と固定具とを係合させることにより、温度調節用ハンドルと操作軸とを一定の角度で取り付けるものである。【選択図】  図４
2006342557.tif 000002
【特許請求の範囲】
【請求項１】
混合弁の操作軸と温度調節用ハンドルとを伝達部材を介して連結する温度調節用ハンドルの取付構造において、前記伝達部材は、操作軸に係合するセレーションを有するブッシュと、ブッシュ及び操作軸に着脱自在に係合する脚部が形成された固定具とからなり、温度調節用ハンドルに形成された収容部をブッシュに外嵌させるとともに、収容部に形成された切欠溝と固定具とを係合させることにより、温度調節用ハンドルと操作軸とを一定の角度で取り付けることを特徴とする温度調節用ハンドルの取付構造。
【発明の詳細な説明】
【技術分野】
【０００１】
本発明は、温度調節式の水栓における、温度調節用ハンドルの取付構造に関するものである。
【背景技術】
【０００２】
温度調節式の水栓は、温度調節用ハンドルを操作することにより、吐水される混合水の温度を所望温度に調節し、混合水を吐水管やシャワーヘッド等の吐水具から吐水するものである。
【０００３】
一般に、この種の水栓は、工場での生産工程において、所定の条件下で混合水の吐水温度を確認しながら、吐水温度と温度調節用ハンドルの設定温度を示す目盛りとを一致させることにより、水栓の設置場所で常に正確な温度の混合水が吐水されるように調節するものである。しかし、水栓の設置場所によっては、水圧や給湯能力等の条件が工場での生産工程における条件と大きく異なる場合があり、このような場合には、水栓の設置場所において、温度調節用ハンドルを一旦水栓本体から取り外して、混合水の吐水温度を確認しながら、吐水温度と温度調節用ハンドルの設定温度を示す目盛りとが一致するように再調整した後、温度調節用ハンドルを水栓本体へ取り付け直している。
【０００４】
また、この種の水栓は、水栓を覆うようにカバーを取り付けたり、壁面やカウンター等の取付板の裏側に埋め込んで取り付ける等、その設置形態が多種多様である。このような形態の場合、取付手順によっては、設置場所で水栓本体から温度調節用ハンドルを一旦取り外し、水栓本体をカウンターに取り付けた後に、温度調節用ハンドルを再び水栓本体へ取り付けなければならない。このような場合でも、温度調節用ハンドルの再取り付けにあたり、混合水の吐水温度を確認しながら、吐水温度と温度調節用ハンドルの設定温度を示す目盛りとが一致するように再調整する必要があり、温度調節用ハンドルを水栓本体へ取り付ける作業に時間のかかるものであり、その改善が望まれていた。そこで、この問題点を解決したものとして、特許文献１のものがある。
【０００５】
この特許文献１について簡単に説明すると、温度調節用スピンドルと温度調節用ハンドルとを両者間に介在させた継手ブッシュにより連結し、温度調節用スピンドルと継手ブッシュとを相互に固定するとともに、継手ブッシュと温度調節用ハンドルとを相互に固定してなり、温度調節用スピンドルと継手ブッシュは相互に雄雌状に係合し、かつ複数の取付角度に対応可能な第１回転固定部を有し、継手ブッシュと温度調節用ハンドルは相互に雌雄状に係合し、かつ一定の角度のみ対応可能な取付ガイド部を有するものである。
【特許文献１】実公平６−５０７０２号
【発明の開示】
【発明が解決しようとする課題】
【０００６】
特許文献１では、継手ブッシュは、温度調節用スピンドルと係合するセレーションと、温度調節用ハンドルと一定の角度で取り付けるためのガイド軸とが両端に位置するように形成されているため、継手ブッシュの形状が長くなり、その結果、温度調節用ハンドルは水栓本体からの突出量が多くなり、その形状が細長くなってしまい、見栄えの悪いものであった。また、この構成を壁面やカウンター等の取付板の裏側に埋め込む形態の水栓に適用した場合においても、温度調節用ハンドルは取付板から表側に大きく突出してしまい、見栄えの悪いものであった。さらに、温度調節用スピンドルと継手ブッシュとは、止めビスを螺合させることにより取り付けられているため、混合水の吐水温度と温度調節用ハンドルの設定温度を示す目盛りとが一致するように、ハンドルの取付角度を再調整する必要が生じた場合には、止めビスを取り外す作業に時間がかかるものであった。
【０００７】
本発明は、このような従来の技術に存在する問題点に着目してなされたものであり、その目的は、混合弁の操作軸と温度調節用ハンドルとを伝達部材を介して連結する温度調節用ハンドルの取付構造において、温度調節用ハンドルの突出量を少なくして見栄えを良くするとともに、混合水の吐水温度と温度調節用ハンドルの設定温度を示す目盛りとが一致するように、ハンドルの取付角度を再調整する必要が生じた場合でも、伝達部材の取り外しを容易に行えるようにすることである。
【課題を解決するための手段】
【０００８】
上記目的を達成するために、請求項１に記載の発明は、混合弁の操作軸と温度調節用ハンドルとを伝達部材を介して連結する温度調節用ハンドルの取付構造において、前記伝達部材は、操作軸に係合するセレーションを有するブッシュと、ブッシュ及び操作軸に着脱自在に係合する脚部が形成された固定具とからなり、温度調節用ハンドルに形成された収容部をブッシュに外嵌させるとともに、収容部に形成された切欠溝と固定具とを係合させることにより、温度調節用ハンドルと操作軸とを一定の角度で取り付けるものである。
【発明の効果】
【０００９】
本発明の請求項１では、混合弁の操作軸と温度調節用ハンドルとを連結する伝達部材をコンパクトに形成することができるため、温度調節用ハンドルの突出量を少なくすることができ、見栄えを良くすることができる。また、混合水の吐水温度と温度調節用ハンドルの設定温度を示す目盛りとが一致するように、ブッシュの取付角度を再調整する必要が生じた場合でも、固定具をブッシュから側方に移動させることで、ブッシュを操作軸から容易に取り外すことができ、ブッシュの取付角度の再調整を短時間で行うことができる。
【発明を実施するための最良の形態】
【００１０】
以下、本発明の実施例を図に基づいて詳細に説明する。
【実施例１】
【００１１】
図１は、本発明による温度調節用ハンドルの取付構造を用いた水栓Ａが、浴室１のカウンター等の取付板２に取り付けられた状態の全体図である。
図２に示すように、水栓Ａは取付板２の下部に配設され、湯用，水用の配管４，５が接続される混合部材１０と、該混合部材１０と供給用配管６を介して接続され、混合部材１０で混合された混合水を所定の方向に供給するための切替部材５０と、混合部材１０及び切替部材５０にそれぞれ装着されるハンドル７０，７０ａと、切替部材５０の下流側且つ浴室１内の所定の場所に設置され、切替部材５０から供給される混合水を吐水するための吐水具８０，８０ａと、取付板２に混合部材１０及び切替部材５０をそれぞれ固定させる固定ナット９１，９１ａとを備えている。
【００１２】
図３に示すように、前記混合部材１０は取付板２に装着されるもので、取付板２に穿設された取付孔３より大径のフランジ部１１が外周面に形成され、このフランジ部１１の上方には円筒形状の筒部１２が形成され、筒部１２は取付孔３より小径で、外周面に雄ねじ１３が刻設され、フランジ部１１の下方には湯及び水が流入される本体部１４が形成されている。また、混合部材１０の内部には収容室１５が形成されており、該収容室１５には混合弁２０が収容され、この混合弁２０は給湯源，給水源に連通する湯用，水用の配管４，５の通路から供給された湯，水を混合し、混合された混合水を使用者の希望する温度に調節するものである。
【００１３】
図２及び図３に示すように、前記本体部１４の外周面には、１対の第１接続筒１６，１６ａが本体部１４を中心に互いに対向且つ平行となるようにそれぞれ突出して形成されている。第１接続筒１６，１６ａは、取付板２の下部の空間に配置されるもので、その内部に湯または水が通過する流路が形成されている。そして、一方の第１接続筒１６には湯用配管４が接続され、他方の第１接続筒１６ａには水用配管５が接続されている。また、本体部１４の下方には第２接続筒１７が、第１接続筒１６，１６ａと平行となるように突出して形成されている。第２接続筒１７は、その内部に混合水が通過する流路が形成され、前記切替部材５０に連通する供給用配管６が接続されている。
【００１４】
前記混合弁２０は従来公知のものであり、ケース体２１の内部に収容されたワックスや形状記憶合金等の感温部材が混合水の温度に応じて弁体を移動させ、内部に流入する湯，水の流量を制御し、吐水される混合水の温度を設定温度に調節するものである。このケース体２１は、その端部外周面に第１雄セレーション２２が形成され、この第１雄セレーション２２には一部が窪んだ凹部２３が形成されている。そして、この第１雄セレーション２２及び凹部２３と嵌合するように安全装置２７が装着されている。また、ケース体２１の内部には円筒形状の操作軸２４が回転自在に収容されており、この操作軸２４の先端は、外部に突出するとともに外周面には第２雄セレーション２５及び第２雄セレーション２５より小径の小径部２６が先端から順に形成されている。そして、この操作軸２４の先端に対して、伝達部材３０を介して温度調節用ハンドル７０が取り付けられている。なお、混合部材１０の筒部１２先端には締付ナット１８が螺着され、混合弁２０は収容室１５から抜け出すことがないように固定されている。
【００１５】
前記伝達部材３０は、温度調節用ハンドル７０の操作力を混合弁２０の操作軸２４に伝達するもので、操作軸２４先端に装着されるブッシュ３１と、ブッシュ３１及び操作軸２４に係合し、両者の係合状態を保持するための固定具４１とから構成されている。なおこの伝達部材３０は、工場での生産工程において、所定の条件下で混合水の吐水温度を確認しながら、吐水温度と温度調節用ハンドル７０の設定温度を示す目盛りとが一致するように、操作軸２４の先端に取り付けられている。
【００１６】
図４及び図８に示すように、前記ブッシュ３１は合成樹脂製の多角柱形状で、混合弁２０の操作軸２４先端に装着されるもので、その中心には挿通孔３２が上下に貫通して形成されるとともに、下部には操作軸２４の第２雄セレーション２５と係合する雌セレーション３３が形成されている。またブッシュ３１の一側面には、上下にわたってその一部が窪んだ凹部３４が形成されるとともに、その上面には一部を切り欠いた切欠部３５が形成されている。
【００１７】
前記固定具４１は合成樹脂製で、図５に示すように、直方体形状の基部４２と、基部４２の上端から円弧状に突出して形成された上側脚部４３と、基部４２の下端から円弧状に突出して形成された下側脚部４４とから構成されている。また下側脚部４４は、上側脚部４３より幅太に形成されるとともに、その底面には一部が切り欠かれた段部４５が形成されている。そして、混合弁２０の操作軸２４の第２雄セレーション２５に対して、ブッシュ３１の雌セレーション３３を嵌合させた後、操作軸２４及びブッシュ３１と係合するように固定具４１をブッシュ３１の周面に取り付ける。このとき、固定具４１とブッシュ３１とは、基部４２が凹部３４に、上側脚部４３が切欠部３５に着脱自在に係合し、固定具４１の下側脚部４４が操作軸２４の小径部２６に着脱自在に係合するように取り付けられることで、ブッシュ３１と操作軸２４との係合状態が保持される。
【００１８】
図３に示すように、前記切替部材５０は混合部材１０と略同一形状で、混合部材１０と同様に混合部材１０の近傍で取付板２に装着されるもので、取付板２に穿設された取付孔３より大径のフランジ部５１が外周面に形成され、このフランジ部５１を挟んで上方には円筒形状の筒部５２が形成され、筒部５２は取付孔３より小径で、外周面に雄ねじ５３が刻設され、フランジ部５１の下方には、前記混合部材１０から供給された混合水が流入される本体部５４が形成されている。また、切替部材５０の内部には収容室５５が形成されており、該収容室５５には従来公知の切替弁６０が収容され、該切替弁６０により、上流側である混合部材１０から供給された混合水は、下流側であり、浴室１内の所定場所に設置された吐水具８０，８０ａのうち何れか一方へその流路が切り替えられる。なお、切替部材５０は筒部５２先端に締付ナット５８が螺着され、切替弁６０は収容室５５から抜け出すことがないように固定されている。
【００１９】
図２及び図３に示すように、前記本体部５４の外周面には、１対の第１接続筒５６，５６ａが本体部５４を中心に互いに対向且つ平行となるようにそれぞれ突出して形成されている。第１接続筒５６，５６ａは、取付板２の下部の空間に配置されるもので、その内部に混合水が通過する流路が形成されている。そして、一方の第１接続筒５６には第１通水配管７が、他方の第１接続筒５６ａには第２通水配管８がそれぞれ接続され、該第１通水配管７，第２通水配管８は浴室１内の所定位置に設置された第１吐水具８０，第２吐水具８０ａとそれぞれ連通している。また、本体部５４の下方には、第２接続筒５７が第１接続筒５６，５６ａと平行となるように突出して形成され、混合部材１０と連通する供給用配管６が接続されている。
【００２０】
前記ハンドル７０，７０ａは、混合部材１０に収容された混合弁２０及び切替部材５０に収容された切替弁６０の先端にそれぞれ装着されている。混合弁２０の先端に装着された温度調節用ハンドル７０は、回転させることにより吐水される混合水の温度を調節する。また、切替弁６０の先端に装着された切替用ハンドル７０ａは、回転させることにより混合水の吐水方向を選択するものである。
【００２１】
図４に示すように、混合弁２０に装着される温度調節用ハンドル７０は、ハンドル本体７１と、ハンドル本体７１の上部に装着されるキャップ７５とから構成されるものである。ハンドル本体７１は平面円形状且つ下向きカップ状で、その内面側中心部には収容部７２が突出して形成され、この収容部７２の内部には前記伝達部材３０を外嵌可能な収容室７３が形成されている。また収容部７２には、スリット状の切欠溝７４が上下にわたって形成され、この切欠溝７４は固定具４１の基部４２と略同一の幅を有している。ここで、収容部７２の切欠溝７４と固定具４１の基部４２とは、温度調節用ハンドル７０と伝達部材３０との嵌合位置を、予め所定の角度に位置決めするための位置決め機構を構成するものである。
【００２２】
またハンドル本体７１には安全ボタン７６が装着され、この安全ボタン７６は板バネ７７により外方に付勢されている。この安全ボタン７６は、温度調節用ハンドル７０を高温側に回転操作した際に所定の温度、例えば４０℃の位置において一旦温度調節用ハンドル７０の回転を規制し、吐水具８０，８０ａから熱湯が吐水されるのを防止するためのものである。
【００２３】
この安全ボタン７６には回転防止片７８が一体に形成されており、この回転防止片７８が安全装置２７に形成されたストッパ２８に当接することにより、温度調節用ハンドル７０の回転を規制するように構成されている。そして、回転防止片７８とストッパ２８との当接は、安全ボタン７６を押込操作することにより解除され、この状態から温度調節用ハンドル７０をさらに回転操作すると、吐水具８０，８０ａから熱湯を吐水させることができる。
【００２４】
前記吐水具８０，８０ａは、浴室１内の所定位置に取り付けられ、洗い場や浴槽に混合水を供給するもので、例えば、図１に示すように吐水管やシャワーヘッドである。
【００２５】
本実施例において、工場での生産工程における伝達部材の取付手順について説明する。
まず、図６に示すように、混合部材１０の収容室１５に混合弁２０を収容するととともに、混合部材１０の筒部１２の先端に締付ナット１８を螺着し、混合弁２０を本体部１４に固定する。
【００２６】
次に、伝達部材３０を混合弁２０の操作軸２４に取り付けていく。
まず、操作軸２４の第２雄セレーション２５とブッシュ３１の雌セレーション３３とを係合させ、ブッシュ３１を操作軸２４に装着する。このブッシュ３１の操作軸２４への取り付けに際しては、吐水具８０，８０ａから吐水される混合水の吐水温度を確認しながらブッシュ３１の凹部３４が所定の方向を向くように取付角度を決める。そして、操作軸２４及びブッシュ３１に係合するように、固定具４１を側方から取り付ける。このとき、図７に示すように、固定具４１とブッシュ３１とは、基部４２が凹部３４に、上側脚部４３が切欠部３５に、固定具４１の下側脚部４４が操作軸２４の小径部２６にそれぞれ係合することにより、ブッシュ３１と操作軸２４との係合状態が良好に保持されており、固定具４１の基部４２はブッシュ３１の外部へ突出した状態となっている。
【００２７】
次に、水栓Ａの取付板２への取付手順について説明する。
図３に示すように、取付板２の裏側から混合部材１０の筒部１２を取付孔３へ挿通させ、取付板２の表側に筒部１２を突出させる。そして、取付板２の表側から筒部１２の雄ねじ１３に固定ナット９１を螺着していくと、混合部材１０のフランジ部１１と固定ナット９１とにより取付板２を挟持することにより、混合部材１０は取付板２に強固に固定される。その後、混合部材１０の取付板２への固定と同様に、切替部材５０を取付板２に取り付けた後、固定ナット９１，９１ａを覆うようにカバー９２，９２ａを嵌挿する。その後、混合部材１０において、混合弁２０のケース体２１の第１雄セレーション２２及び凹部２３と係合するように安全装置２７を装着する。
【００２８】
そして、水栓Ａの取付現場における水圧や給湯能力等の条件と工場の生産工程における条件と比較し、その条件が大きく異なる場合には、伝達部材３０を操作軸２４から一旦取り外し、混合水の吐水温度と温度調節用ハンドル７０の設定温度を示す目盛りとが一致するように再調整しなければならない。この際、固定具４１を側方へ移動させることにより、ブッシュ３１を操作軸２４から容易に取り外すことができるため、ブッシュ３１の取付角度の再調整を短時間で行うことができる。
【００２９】
その後、図８に示すように、固定具４１の基部４２とハンドル本体７１の収容部７２に形成された切欠溝７４とを係合させるとともに、ハンドル本体７１の収容室７３をブッシュ３１に外嵌させることにより、ハンドル本体７１と伝達部材３０とは常に所定の角度、すなわち、温度調節用ハンドル７０と混合弁２０の操作軸２４とは、予め所定の角度に位置決めされ、常に適正な回転位置に取り付けることができる。そして、図３に示すように、止めビス７９をブッシュ３１の挿通孔３２に挿通し、操作軸２４の雌ねじ部２４ａに螺合することにより、ハンドル本体７１は操作軸２４先端に結合される。その後ハンドル本体７１にキャップ７５を取り付けると、温度調節用ハンドル７０の取り付けが完了する。
【００３０】
次に、切替弁２０ａの先端に切替用ハンドル７０ａを取り付ける。そして、混合部材１０及び切替部材５０を供給用配管６により結合した後、混合部材１０には湯用，水用の配管４，５を、また切替部材５０には吐水具８０，８０ａへ連通する配管７，８をそれぞれ接続すると、図１に示すように、水栓Ａの取り付けが完了する。
【００３１】
以上のように、本発明では、混合弁の操作軸と温度調節用ハンドルとを連結する伝達部材をコンパクトに形成することができるため、温度調節用ハンドルの突出量を少なくすることができ、見栄えを良くすることができる。また、混合水の吐水温度と温度調節用ハンドルの設定温度を示す目盛りとが一致するように、ブッシュの取付角度を再調整する必要が生じた場合でも、固定具を側方に移動させることで、ブッシュを操作軸から容易に取り外すことができ、ブッシュの取付角度の再調整を短時間で行うことができる。
【図面の簡単な説明】
【００３２】
【図１】本発明の温度調節用ハンドルの取付構造を用いた水栓を浴室のカウンターに取り付けた状態の説明図である。
【図２】図１において、水栓と配管との接続状態を示す説明図である。
【図３】水栓の内部構造を示す断面図である。
【図４】混合弁，伝達部材，温度調節用ハンドルの関係を示す斜視図である。
【図５】固定具の斜視図である。
【図６】固定具を取り付ける前の状態の説明図である。
【図７】固定具を取り付けた後の状態の説明図である。
【図８】伝達部材を介して温度調節用ハンドルを操作軸に取り付ける状態の説明図である。
【符号の説明】
【００３３】
２０  ：混合弁
２４  ：操作軸
２５  ：雄セレーション
２６  ：小径部
３０  ：伝達部材
３１  ：ブッシュ
３３  ：雌セレーション
４１  ：固定具
４３  ：上側脚部
４４  ：下側脚部
７０  ：温度調節用ハンドル
７２  ：収容部
７４  ：切欠溝
【図１】
2006342557.tif 000003
【図２】
2006342557.tif 000004
【図３】
2006342557.tif 000005
【図４】
2006342557.tif 000006
【図５】
2006342557.tif 000007
【図６】
2006342557.tif 000008
【図７】
2006342557.tif 000009
【図８】
2006342557.tif 000010